【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
アップリンク制御メッセージの送信のためのベースシーケンスを識別することと、
前記ベースシーケンスとともに使用されることになるＵＥ固有初期シフトを示すシグナリングを受信することと、
前記アップリンク制御メッセージのためのアップリンク制御情報を決定することと、
前記ＵＥ固有初期シフトおよび前記アップリンク制御情報に少なくとも部分的に基づいて前記ベースシーケンスのシフト済みシーケンスを決定することと、
前記アップリンク制御情報を前記アップリンク制御メッセージ中で送信することと、ここにおいて、前記アップリンク制御情報が前記シフト済みシーケンスに少なくとも部分的に基づく、
を備え、
前記ＵＥ固有初期シフトを示す前記シグナリングを受信することが、
前記ＵＥ固有初期シフトの導出元となる制御チャネル要素（ＣＣＥ）インデックスを有するダウンリンクグラント制御メッセージを受信することを備えることを特徴とする、方法。
【請求項２】
前記アップリンク制御情報のペイロードがスケジューリング要求（ＳＲ）、１ビット肯定応答、または２ビット肯定応答のうちの１つであると識別することと、
前記識別されたペイロードに少なくとも部分的に基づいて前記シフト済みシーケンスを決定することと
をさらに備える、請求項１に記載の方法。
【請求項３】
前記アップリンク制御メッセージがショート物理アップリンク制御チャネルメッセージとしてフォーマットされ、前記アップリンク制御情報の前記ペイロードが前記１ビット肯定応答または前記２ビット肯定応答を備える、請求項２に記載の方法。
【請求項４】
前記アップリンク制御情報の前記ペイロードが前記１ビット肯定応答を備え、前記シフト済みシーケンスを決定することが、
前記アップリンク制御情報前記ペイロードに対応するシフト値に少なくとも部分的に基づいて前記シフト済みシーケンスを決定することを備え、前記シフト値が０または６の値を備える、請求項３に記載の方法。
【請求項５】
前記アップリンク制御情報が前記２ビット肯定応答を備え、前記シフト済みシーケンスを決定することが、
前記アップリンク制御情報前記ペイロードに対応するシフト値に少なくとも部分的に基づいて前記シフト済みシーケンスを決定することを備え、前記シフト値が０、３、６、または９の値を備える、請求項３に記載の方法。
【請求項６】
前記アップリンク制御情報を決定することが、
前記アップリンク制御情報中の肯定応答情報のサイズを決定することを備える、請求項１に記載の方法。
【請求項７】
前記ダウンリンクグラント制御メッセージの前記ＣＣＥインデックスに少なくとも部分的に基づいて前記ＵＥ固有初期シフトについてのリソースブロック（ＲＢ）インデックスおよびシフトインデックスを導出することをさらに備える、請求項１に記載の方法。
【請求項８】
前記ＵＥ固有初期シフトを示す前記シグナリングを受信することが、
前記アップリンク制御メッセージのために構成されたリソースのサブセットの明示的な指示を受信することと、
リソースの前記サブセットに適用された前記ＣＣＥインデックスに少なくとも部分的に基づいて前記ＵＥ固有初期シフトについてのリソースブロック（ＲＢ）インデックスおよびシフトインデックスを導出することと
をさらに備える、請求項１に記載の方法。
【請求項９】
前記明示的な指示が、ダウンリンク制御情報（ＤＣＩ）メッセージの肯定応答（ＡＣＫ）リソースインジケータ（ＡＲＩ）ビット内に含まれる、請求項８に記載の方法。
【請求項１０】
前記ＡＲＩビットの数が、２を前記ＡＲＩビットの数で累乗した値が前記アップリンク制御メッセージのために構成されたリソースの数よりも小さいような数である、請求項９に記載の方法。
【請求項１１】
基地局におけるワイヤレス通信のための方法であって、
アップリンク制御メッセージの送信のためのベースシーケンスに適用されることになるＵＥ固有初期シフトを示すシグナリングをユーザ機器（ＵＥ）に送信することと、
アップリンク制御情報を前記アップリンク制御メッセージ中で受信することと、ここにおいて、前記アップリンク制御情報が、前記ＵＥ固有初期シフトと前記アップリンク制御情報のペイロードとに従って前記ベースシーケンスに対してシフトされたシフト済みシーケンスに少なくとも部分的に基づく、
を備え、
前記ＵＥ固有初期シフトを示す前記シグナリングを送信することが、
前記ＵＥ固有初期シフトの導出元となる制御チャネル要素（ＣＣＥ）インデックスを有するダウンリンクグラント制御メッセージを送信することを備えることを特徴とする、方法。
【請求項１２】
ユーザ機器（ＵＥ）におけるワイヤレス通信のための装置であって、
アップリンク制御メッセージの送信のためのベースシーケンスを識別するための手段と、
前記ベースシーケンスとともに使用されることになるＵＥ固有初期シフトを示すシグナリングを受信するための手段と、
前記アップリンク制御メッセージのためのアップリンク制御情報を決定するための手段と、
前記ＵＥ固有初期シフトおよび前記アップリンク制御情報に少なくとも部分的に基づいて前記ベースシーケンスのシフト済みシーケンスを決定するための手段と、
前記アップリンク制御情報を前記アップリンク制御メッセージ中で送信するための手段と、ここにおいて、前記アップリンク制御情報が前記シフト済みシーケンスに少なくとも部分的に基づく、
を備え、
前記ＵＥ固有初期シフトを示すシグナリングを受信するための前記手段が、
前記ＵＥ固有初期シフトの導出元となる制御チャネル要素（ＣＣＥ）インデックスを有するダウンリンクグラント制御メッセージを受信するための手段を備えることを特徴とする、装置。
【請求項１３】
基地局におけるワイヤレス通信のための装置であって、
アップリンク制御メッセージの送信のためのベースシーケンスに適用されることになるＵＥ固有初期シフトを示すシグナリングをユーザ機器（ＵＥ）に送信するための手段と、  アップリンク制御情報を前記アップリンク制御メッセージ中で受信するための手段と、ここにおいて、前記アップリンク制御情報が、前記ＵＥ固有初期シフトと前記アップリンク制御情報のペイロードとに従って前記ベースシーケンスに対してシフトされたシフト済みシーケンスに少なくとも部分的に基づく、
を備え、
前記ＵＥ固有初期シフトを示すシグナリングを送信するための前記手段が、
前記ＵＥ固有初期シフトの導出元となる制御チャネル要素（ＣＣＥ）インデックスを有するダウンリンクグラント制御メッセージを送信するための手段を備えることを特徴とする、装置。
【請求項１４】
ユーザ機器（ＵＥ）におけるワイヤレス通信のためのコードを記憶した非一時的コンピュータ可読媒体であって、前記コードが、プロセッサに、請求項１〜１０のいずれか一項に記載の方法を行わせるように前記プロセッサによって実行可能な命令を備える、非一時的コンピュータ可読媒体。
【請求項１５】
基地局におけるワイヤレス通信のためのコードを記憶した非一時的コンピュータ可読媒体であって、前記コードが、プロセッサに、請求項１１に記載の方法を行わせるように前記プロセッサによって実行可能な命令を備える、非一時的コンピュータ可読媒体。
【手続補正２】
【補正対象書類名】明細書
【補正対象項目名】０１７２
【補正方法】変更
【補正の内容】
【０１７２】
[0178]  本明細書の説明は、当業者が本開示を作成または使用することを可能にするように提供される。本開示への様々な変更は当業者には容易に明らかとなり、本明細書で定義された一般原理は、本開示の範囲から逸脱することなく他の変形形態に適用され得る。従って、本開示は、本明細書に記載された例および設計に限定されず、本明細書で開示された原理および新規の特徴に合致する最も広い範囲を与えられるべきである。
以下に、本願の出願当初の特許請求の範囲に記載された発明を付記する。
［Ｃ１］
ユーザ機器（ＵＥ）におけるワイヤレス通信のための方法であって、
アップリンク制御メッセージの送信のためのベースシーケンスを識別することと、
前記ベースシーケンスとともに使用されることになるＵＥ固有初期シフトを示すシグナリングを受信することと、
前記アップリンク制御メッセージのためのアップリンク制御情報を決定することと、  前記ＵＥ固有初期シフトおよび前記アップリンク制御情報に少なくとも部分的に基づいて前記ベースシーケンスのシフト済みシーケンスを決定することと、
前記アップリンク制御情報を前記アップリンク制御メッセージ中で送信することと、ここにおいて、前記アップリンク制御情報が前記シフト済みシーケンスに少なくとも部分的に基づく、
を備える方法。
［Ｃ２］
前記アップリンク制御情報のペイロードがスケジューリング要求（ＳＲ）、１ビット肯定応答、または２ビット肯定応答のうちの１つであると識別することと、
前記識別されたペイロードに少なくとも部分的に基づいて前記シフト済みシーケンスを決定することと
をさらに備える、Ｃ１に記載の方法。
［Ｃ３］
前記アップリンク制御メッセージがショート物理アップリンク制御チャネルメッセージとしてフォーマットされ、前記アップリンク制御情報の前記ペイロードが前記１ビット肯定応答または前記２ビット肯定応答を備える、Ｃ２に記載の方法。
［Ｃ４］
前記アップリンク制御情報の前記ペイロードが前記１ビット肯定応答を備え、前記シフト済みシーケンスを決定することが、
前記アップリンク制御情報前記ペイロードに対応するシフト値に少なくとも部分的に基づいて前記シフト済みシーケンスを決定することを備え、前記シフト値が０または６の値を備える、Ｃ３に記載の方法。
［Ｃ５］
前記アップリンク制御情報が前記２ビット肯定応答を備え、前記シフト済みシーケンスを決定することが、
前記アップリンク制御情報前記ペイロードに対応するシフト値に少なくとも部分的に基づいて前記シフト済みシーケンスを決定することを備え、前記シフト値が０、３、６、または９の値を備える、Ｃ３に記載の方法。
［Ｃ６］
前記アップリンク制御情報を決定することが、
前記アップリンク制御情報中の肯定応答情報のサイズを決定することを備える、Ｃ１に記載の方法。
［Ｃ７］
前記ＵＥ固有初期シフトを示す前記シグナリングを受信することが、
前記ＵＥ固有初期シフトの明示的な指示を受信することを備える、Ｃ１に記載の方法。
［Ｃ８］
前記明示的な指示が、ダウンリンク制御情報（ＤＣＩ）メッセージの肯定応答（ＡＣＫ）リソースインジケータ（ＡＲＩ）ビット内に含まれる、Ｃ７に記載の方法。
［Ｃ９］
前記ＡＲＩビットの数が、２を前記ＡＲＩビットの数で累乗した値が前記アップリンク制御メッセージのために構成されたリソースの数よりも大きいような、十分に多い数である、Ｃ８に記載の方法。
［Ｃ１０］
前記ＵＥ固有初期シフトを示す前記シグナリングを受信することが、
前記ＵＥ固有初期シフトの導出元となる制御チャネル要素（ＣＣＥ）インデックスを有するダウンリンクグラント制御メッセージを受信することを備える、Ｃ１に記載の方法。
［Ｃ１１］
前記ダウンリンクグラント制御メッセージの前記ＣＣＥインデックスに少なくとも部分的に基づいて前記ＵＥ固有初期シフトについてのリソースブロック（ＲＢ）インデックスおよびシフトインデックスを導出することをさらに備える、Ｃ１０に記載の方法。
［Ｃ１２］
前記ＵＥ固有初期シフトを示す前記シグナリングを受信することが、
前記アップリンク制御メッセージのために構成されたリソースのサブセットの明示的な指示を受信することと、
制御チャネル要素（ＣＣＥ）インデックスを有するダウンリンクグラント制御メッセージを受信することと、
リソースの前記サブセットに適用された前記ＣＣＥインデックスに少なくとも部分的に基づいて前記ＵＥ固有初期シフトについてのリソースブロック（ＲＢ）インデックスおよびシフトインデックスを導出することと
を備える、Ｃ１に記載の方法。
［Ｃ１３］
前記明示的な指示が、ダウンリンク制御情報（ＤＣＩ）メッセージの肯定応答（ＡＣＫ）リソースインジケータ（ＡＲＩ）ビット内に含まれる、Ｃ１２に記載の方法。
［Ｃ１４］
前記ＡＲＩビットの数が、２を前記ＡＲＩビットの数で累乗した値が前記アップリンク制御メッセージのために構成されたリソースの数よりも小さいような数である、Ｃ１３に記載の方法。
［Ｃ１５］
前記ＵＥ固有初期シフトおよび前記アップリンク制御情報に少なくとも部分的に基づいて前記ベースシーケンスの１つまたは複数のシフト済みシーケンスを決定することと、  前記アップリンク制御メッセージのペイロードに少なくとも部分的に基づいて前記１つまたは複数のシフト済みシーケンスから前記シフト済みシーケンスを選択することと
をさらに備える、Ｃ１に記載の方法。
［Ｃ１６］
前記１つまたは複数のシフト済みシーケンスからの前記シフト済みシーケンスの前記選択をランダム化することをさらに備える、Ｃ１５に記載の方法。
［Ｃ１７］
基地局におけるワイヤレス通信のための方法であって、
アップリンク制御メッセージの送信のためのベースシーケンスに適用されることになるＵＥ固有初期シフトを示すシグナリングをユーザ機器（ＵＥ）に送信することと、
アップリンク制御情報を前記アップリンク制御メッセージ中で受信することと、ここにおいて、前記アップリンク制御情報が、前記ＵＥ固有初期シフトと前記アップリンク制御情報のペイロードとに従って前記ベースシーケンスに対してシフトされたシフト済みシーケンスに少なくとも部分的に基づく、
を備える方法。
［Ｃ１８］
前記アップリンク制御メッセージがショート物理アップリンク制御チャネルメッセージとしてフォーマットされ、前記アップリンク制御情報の前記ペイロードが１ビット肯定応答または２ビット肯定応答を備える、Ｃ１７に記載の方法。
［Ｃ１９］
前記ＵＥ固有初期シフトを示す前記シグナリングを送信することが、
前記ＵＥ固有初期シフトの明示的な指示を送信することを備える、Ｃ１７に記載の方法。
［Ｃ２０］
前記明示的な指示が、ダウンリンク制御情報（ＤＣＩ）メッセージの肯定応答（ＡＣＫ）リソースインジケータ（ＡＲＩ）ビット内に含まれる、Ｃ１９に記載の方法。
［Ｃ２１］
前記ＡＲＩビットの数が、２を前記ＡＲＩビットの数で累乗した値が前記アップリンク制御メッセージのために構成されたリソースの数よりも大きいような、十分に多い数である、Ｃ２０に記載の方法。
［Ｃ２２］
追加のシグナリングを異なるＵＥに送信することをさらに備え、前記追加のシグナリングが、アップリンク制御メッセージの送信間の干渉がランダム化され得るような、前記異なるＵＥの各々によって前記ベースシーケンスに適用されることになる異なるＵＥ固有初期シフトを示す、Ｃ１７に記載の方法。
［Ｃ２３］
前記ＵＥ固有初期シフトを示す前記シグナリングを送信することが、
前記ＵＥ固有初期シフトの導出元となる制御チャネル要素（ＣＣＥ）インデックスを有するダウンリンクグラント制御メッセージを送信することを備える、Ｃ１７に記載の方法。
［Ｃ２４］
前記ＵＥ固有初期シフトを示す前記シグナリングを送信することが、
前記アップリンク制御メッセージのために構成されたリソースのサブセットの明示的な指示を送信することと、
リソースの前記サブセットに適用された制御チャネル要素（ＣＣＥ）インデックスに少なくとも部分的に基づいて前記ＵＥ固有初期シフトについてのリソースブロック（ＲＢ）インデックスおよびシフトインデックスが導出されることが可能であるような前記ＣＣＥインデックスを有するダウンリンクグラント制御メッセージを送信することと
を備える、Ｃ１７に記載の方法。
［Ｃ２５］
前記明示的な指示が、ダウンリンク制御情報（ＤＣＩ）メッセージの肯定応答（ＡＣＫ）リソースインジケータ（ＡＲＩ）ビット内に含まれる、Ｃ２４に記載の方法。
［Ｃ２６］
前記ＡＲＩビットの数が、２を前記ＡＲＩビットの数で累乗した値が前記アップリンク制御メッセージのために構成されたリソースの数よりも小さいような数である、Ｃ２５に記載の方法。
［Ｃ２７］
ユーザ機器（ＵＥ）におけるワイヤレス通信のための装置であって、
アップリンク制御メッセージの送信のためのベースシーケンスを識別するための手段と、
前記ベースシーケンスとともに使用されることになるＵＥ固有初期シフトを示すシグナリングを受信するための手段と、
前記アップリンク制御メッセージのためのアップリンク制御情報を決定するための手段と、
前記ＵＥ固有初期シフトおよび前記アップリンク制御情報に少なくとも部分的に基づいて前記ベースシーケンスのシフト済みシーケンスを決定するための手段と、
前記アップリンク制御情報を前記アップリンク制御メッセージ中で送信するための手段と、ここにおいて、前記アップリンク制御情報が前記シフト済みシーケンスに少なくとも部分的に基づく、
を備える装置。
［Ｃ２８］
前記アップリンク制御情報のペイロードがスケジューリング要求（ＳＲ）、１ビット肯定応答、または２ビット肯定応答のうちの１つであると識別するための手段と、
前記識別されたペイロードに少なくとも部分的に基づいて前記シフト済みシーケンスを決定するための手段と
をさらに備える、Ｃ２７に記載の装置。
［Ｃ２９］
前記アップリンク制御メッセージがショート物理アップリンク制御チャネルメッセージとしてフォーマットされ、前記アップリンク制御情報の前記ペイロードが前記１ビット肯定応答または前記２ビット肯定応答を備える、Ｃ２８に記載の装置。
［Ｃ３０］
前記アップリンク制御情報の前記ペイロードが前記１ビット肯定応答を備え、
前記アップリンク制御情報前記ペイロードに対応するシフト値に少なくとも部分的に基づいて前記シフト済みシーケンスを決定するための手段を備え、前記シフト値が０または６の値を備える、Ｃ２９に記載の装置。
［Ｃ３１］
前記アップリンク制御情報が前記２ビット肯定応答を備え、
前記アップリンク制御情報前記ペイロードに対応するシフト値に少なくとも部分的に基づいて前記シフト済みシーケンスを決定するための手段を備え、前記シフト値が０、３、６、または９の値を備える、Ｃ２９に記載の装置。
［Ｃ３２］
前記アップリンク制御情報を決定するための前記手段が、前記アップリンク制御情報中の肯定応答情報のサイズを決定するための手段を備える、Ｃ２７に記載の装置。
［Ｃ３３］
前記ＵＥ固有初期シフトを示す前記シグナリングを受信するための前記手段が、
前記ＵＥ固有初期シフトの明示的な指示を受信するための手段を備える、Ｃ２７に記載の装置。
［Ｃ３４］
前記明示的な指示が、ダウンリンク制御情報（ＤＣＩ）メッセージの肯定応答（ＡＣＫ）リソースインジケータ（ＡＲＩ）ビット内に含まれる、Ｃ３３に記載の装置。
［Ｃ３５］
前記ＡＲＩビットの数が、２を前記ＡＲＩビットの数で累乗した値が前記アップリンク制御メッセージのために構成されたリソースの数よりも大きいような、十分に多い数である、Ｃ３４に記載の装置。
［Ｃ３６］
前記ＵＥ固有初期シフトを示す前記シグナリングを受信するための前記手段が、
前記ＵＥ固有初期シフトの導出元となる制御チャネル要素（ＣＣＥ）インデックスを有するダウンリンクグラント制御メッセージを受信するための手段を備える、Ｃ２７に記載の装置。
［Ｃ３７］
前記ダウンリンクグラント制御メッセージの前記ＣＣＥインデックスに少なくとも部分的に基づいて前記ＵＥ固有初期シフトについてのリソースブロック（ＲＢ）インデックスおよびシフトインデックスを導出するための手段をさらに備える、Ｃ３６に記載の装置。
［Ｃ３８］
前記ＵＥ固有初期シフトを示す前記シグナリングを受信するための前記手段が、
前記アップリンク制御メッセージのために構成されたリソースのサブセットの明示的な指示を受信するための手段と、
制御チャネル要素（ＣＣＥ）インデックスを有するダウンリンクグラント制御メッセージを受信するための手段と、
リソースの前記サブセットに適用された前記ＣＣＥインデックスに少なくとも部分的に基づいて前記ＵＥ固有初期シフトについてのリソースブロック（ＲＢ）インデックスおよびシフトインデックスを導出するための手段と
を備える、Ｃ２７に記載の装置。
［Ｃ３９］
前記明示的な指示が、ダウンリンク制御情報（ＤＣＩ）メッセージの肯定応答（ＡＣＫ）リソースインジケータ（ＡＲＩ）ビット内に含まれる、Ｃ３８に記載の装置。
［Ｃ４０］
前記ＡＲＩビットの数が、２を前記ＡＲＩビットの数で累乗した値が前記アップリンク制御メッセージのために構成されたリソースの数よりも小さいような数である、Ｃ３９に記載の装置。
［Ｃ４１］
前記ＵＥ固有初期シフトおよび前記アップリンク制御情報に少なくとも部分的に基づいて前記ベースシーケンスの１つまたは複数のシフト済みシーケンスを決定するための手段と、
前記アップリンク制御メッセージのペイロードに少なくとも部分的に基づいて前記１つまたは複数のシフト済みシーケンスから前記シフト済みシーケンスを選択するための手段と
をさらに備える、Ｃ２７に記載の装置。
［Ｃ４２］
前記１つまたは複数のシフト済みシーケンスからの前記シフト済みシーケンスの前記選択をランダム化するための手段をさらに備える、Ｃ４１に記載の装置。
［Ｃ４３］
基地局におけるワイヤレス通信のための装置であって、
アップリンク制御メッセージの送信のためのベースシーケンスに適用されることになるＵＥ固有初期シフトを示すシグナリングをユーザ機器（ＵＥ）に送信するための手段と、  アップリンク制御情報を前記アップリンク制御メッセージ中で受信するための手段と、ここにおいて、前記アップリンク制御情報が、前記ＵＥ固有初期シフトと前記アップリンク制御情報のペイロードとに従って前記ベースシーケンスに対してシフトされたシフト済みシーケンスに少なくとも部分的に基づく、
を備える装置。
［Ｃ４４］
前記アップリンク制御メッセージがショート物理アップリンク制御チャネルメッセージとしてフォーマットされ、前記アップリンク制御情報の前記ペイロードが１ビット肯定応答または２ビット肯定応答を備える、Ｃ４３に記載の装置。
［Ｃ４５］
前記ＵＥ固有初期シフトを示す前記シグナリングを送信するための前記手段が、
前記ＵＥ固有初期シフトの明示的な指示を送信するための手段を備える、Ｃ４３に記載の装置。
［Ｃ４６］
前記明示的な指示が、ダウンリンク制御情報（ＤＣＩ）メッセージの肯定応答（ＡＣＫ）リソースインジケータ（ＡＲＩ）ビット内に含まれる、Ｃ４５に記載の装置。
［Ｃ４７］
前記ＡＲＩビットの数が、２を前記ＡＲＩビットの数で累乗した値が前記アップリンク制御メッセージのために構成されたリソースの数よりも大きいような、十分に多い数である、Ｃ４６に記載の装置。
［Ｃ４８］
追加のシグナリングを異なるＵＥに送信するための手段をさらに備え、前記追加のシグナリングが、アップリンク制御メッセージの送信間の干渉がランダム化され得るような、前記異なるＵＥの各々によって前記ベースシーケンスに適用されることになる異なるＵＥ固有初期シフトを示す、Ｃ４３に記載の装置。
［Ｃ４９］
前記ＵＥ固有初期シフトを示す前記シグナリングを送信するための前記手段が、
前記ＵＥ固有初期シフトの導出元となる制御チャネル要素（ＣＣＥ）インデックスを有するダウンリンクグラント制御メッセージを送信するための手段を備える、Ｃ４３に記載の装置。
［Ｃ５０］
前記ＵＥ固有初期シフトを示す前記シグナリングを送信するための前記手段が、
前記アップリンク制御メッセージのために構成されたリソースのサブセットの明示的な指示を送信するための手段と、
リソースの前記サブセットに適用された制御チャネル要素（ＣＣＥ）インデックスに少なくとも部分的に基づいて前記ＵＥ固有初期シフトについてのリソースブロック（ＲＢ）インデックスおよびシフトインデックスが導出されることが可能であるような前記ＣＣＥインデックスを有するダウンリンクグラント制御メッセージを送信するための手段と
を備える、Ｃ４３に記載の装置。
［Ｃ５１］
前記明示的な指示が、ダウンリンク制御情報（ＤＣＩ）メッセージの肯定応答（ＡＣＫ）リソースインジケータ（ＡＲＩ）ビット内に含まれる、Ｃ５０に記載の装置。
［Ｃ５２］
前記ＡＲＩビットの数が、２を前記ＡＲＩビットの数で累乗した値が前記アップリンク制御メッセージのために構成されたリソースの数よりも小さいような数である、Ｃ５１に記載の装置。
［Ｃ５３］
ユーザ機器（ＵＥ）におけるワイヤレス通信のための装置であって、
プロセッサと、
前記プロセッサと電子通信しているメモリと、
前記メモリに記憶された命令とを備え、前記命令が、
アップリンク制御メッセージの送信のためのベースシーケンスを識別することと、    前記ベースシーケンスとともに使用されることになるＵＥ固有初期シフトを示すシグナリングを受信することと、
前記アップリンク制御メッセージのためのアップリンク制御情報を決定することと、    前記ＵＥ固有初期シフトおよび前記アップリンク制御情報に少なくとも部分的に基づいて前記ベースシーケンスのシフト済みシーケンスを決定することと、
前記アップリンク制御情報を前記アップリンク制御メッセージ中で送信することと、ここにおいて、前記アップリンク制御情報が前記シフト済みシーケンスに少なくとも部分的に基づく、
を前記装置にさせるために前記プロセッサによって実行可能である、装置。
［Ｃ５４］
前記命令がさらに、
前記アップリンク制御情報のペイロードがスケジューリング要求（ＳＲ）、１ビット肯定応答、または２ビット肯定応答のうちの１つであると識別することと、
前記識別されたペイロードに少なくとも部分的に基づいて前記シフト済みシーケンスを決定することと
を前記装置にさせるために前記プロセッサによって実行可能である、Ｃ５３に記載の装置。
［Ｃ５５］
前記アップリンク制御メッセージがショート物理アップリンク制御チャネルメッセージとしてフォーマットされ、前記アップリンク制御情報の前記ペイロードが前記１ビット肯定応答または前記２ビット肯定応答を備える、Ｃ５４に記載の装置。
［Ｃ５６］
前記アップリンク制御情報の前記ペイロードが前記１ビット肯定応答を備え、
前記アップリンク制御情報前記ペイロードに対応するシフト値に少なくとも部分的に基づいて前記シフト済みシーケンスを決定することを備え、前記シフト値が０または６の値を備える、Ｃ５５に記載の装置。
［Ｃ５７］
前記アップリンク制御情報が前記２ビット肯定応答を備え、
前記アップリンク制御情報前記ペイロードに対応するシフト値に少なくとも部分的に基づいて前記シフト済みシーケンスを決定することを備え、前記シフト値が０、３、６、または９の値を備える、Ｃ５５に記載の装置。
［Ｃ５８］
前記アップリンク制御情報を決定するための前記命令が、
前記アップリンク制御情報中の肯定応答情報のサイズを決定することを前記装置にさせるために前記プロセッサによって実行可能である、Ｃ５３に記載の装置。
［Ｃ５９］
前記ＵＥ固有初期シフトを示す前記シグナリングを受信するための前記命令が、
前記ＵＥ固有初期シフトの明示的な指示を受信することを前記装置にさせるために前記プロセッサによって実行可能である、Ｃ５３に記載の装置。
［Ｃ６０］
基地局におけるワイヤレス通信のための装置であって、
プロセッサと、
前記プロセッサと電子通信しているメモリと、
前記メモリに記憶された命令とを備え、前記命令が、
アップリンク制御メッセージの送信のためのベースシーケンスに適用されることになるＵＥ固有初期シフトを示すシグナリングをユーザ機器（ＵＥ）に送信することと、
アップリンク制御情報を前記アップリンク制御メッセージ中で受信することと、ここにおいて、前記アップリンク制御情報が、前記ＵＥ固有初期シフトと前記アップリンク制御情報のペイロードとに従って前記ベースシーケンスに対してシフトされたシフト済みシーケンスに少なくとも部分的に基づく、
を前記装置にさせるために前記プロセッサによって実行可能である、装置。
［Ｃ６１］
前記アップリンク制御メッセージがショート物理アップリンク制御チャネルメッセージとしてフォーマットされ、前記アップリンク制御情報の前記ペイロードが１ビット肯定応答または２ビット肯定応答を備える、Ｃ６０に記載の装置。
［Ｃ６２］
前記ＵＥ固有初期シフトを示す前記シグナリングを送信するための前記命令が、
前記ＵＥ固有初期シフトの明示的な指示を送信することを前記装置にさせるために前記プロセッサによって実行可能である、Ｃ６０に記載の装置。
［Ｃ６３］
前記命令がさらに、
追加のシグナリングを異なるＵＥに送信することを前記装置にさせるために前記プロセッサによって実行可能であり、前記追加のシグナリングが、アップリンク制御メッセージの送信間の干渉がランダム化され得るような、前記異なるＵＥの各々によって前記ベースシーケンスに適用されることになる異なるＵＥ固有初期シフトを示す、Ｃ６０に記載の装置。
［Ｃ６４］
ユーザ機器（ＵＥ）におけるワイヤレス通信のためのコードを記憶した非一時的コンピュータ可読媒体であって、前記コードが、
アップリンク制御メッセージの送信のためのベースシーケンスを識別することと、
前記ベースシーケンスとともに使用されることになるＵＥ固有初期シフトを示すシグナリングを受信することと、
前記アップリンク制御メッセージのためのアップリンク制御情報を決定することと、  前記ＵＥ固有初期シフトおよび前記アップリンク制御情報に少なくとも部分的に基づいて前記ベースシーケンスのシフト済みシーケンスを決定することと、
前記アップリンク制御情報を前記アップリンク制御メッセージ中で送信することと、ここにおいて、前記アップリンク制御情報が前記シフト済みシーケンスに少なくとも部分的に基づく、
をするためにプロセッサによって実行可能な命令を備える、非一時的コンピュータ可読媒体。
［Ｃ６５］
基地局におけるワイヤレス通信のためのコードを記憶した非一時的コンピュータ可読媒体であって、前記コードが、
アップリンク制御メッセージの送信のためのベースシーケンスに適用されることになるＵＥ固有初期シフトを示すシグナリングをユーザ機器（ＵＥ）に送信することと、
アップリンク制御情報を前記アップリンク制御メッセージ中で受信することと、ここにおいて、前記アップリンク制御情報が、前記ＵＥ固有初期シフトと前記アップリンク制御情報のペイロードとに従って前記ベースシーケンスに対してシフトされたシフト済みシーケンスに少なくとも部分的に基づく、
をするためにプロセッサによって実行可能な命令を備える、非一時的コンピュータ可読媒体。